(57)【要約】【課題】建物のセキュリティレベルを低下させることなく、ドアの施解錠を行うためのキー等を所持していなくても建物のドア錠を解錠することができるドア錠制御装置を提供すること。【解決手段】ドア錠制御装置１３は、住宅のドアの屋外側に設けられた単一の操作体を有する外側アンテナＳＷ３１と、アクチュエータの作動によりドアを施錠または解錠するドア錠駆動部２２，２３と、予め設定された解錠操作態様で外側アンテナＳＷ３１が操作された場合にはドア錠駆動部２２，２３を作動させてドアを解錠し、解錠操作態様以外の態様で外側アンテナＳＷ３１が操作された場合にはドアが解錠された際に警報を発する警戒モードになる施解錠制御マイコン３４とを備える。【選択図】      図４
2006028795.tif 000002
【特許請求の範囲】
【請求項１】
建物のドアの屋外側に設けられた単一の操作体を有する操作手段と、
アクチュエータの作動により前記ドアを施錠または解錠する施解錠手段と、
予め設定された解錠操作態様で前記操作手段が操作された場合には前記施解錠手段を作動させて前記ドアを解錠し、前記解錠操作態様以外の態様で前記操作手段が操作された場合には前記ドアが解錠された際に警報を発する警戒モードになる制御手段とを備えるドア錠制御装置。
【請求項２】
前記制御手段は、前記解錠操作態様により前記操作手段が操作された場合、前記警戒モードを解除して前記ドアを解錠する請求項１に記載のドア錠制御装置。
【請求項３】
前記ドアの近傍に設けられ、前記制御手段から出力される警告信号に基づいて警告を発する報知手段を備え、
前記制御手段は、前記解錠操作態様で前記操作手段が操作されない場合、前記報知手段に対して前記警告信号を出力する請求項１または請求項２に記載のドア錠制御装置。
【請求項４】
前記制御手段は、対応する携帯機に設定されたＩＤコードを抽出し、該携帯機のＩＤコードと自らが有するＩＤコードとが一致したことを条件として、前記警戒モードを解除して前記ドアを解錠する請求項１〜３のいずれか一項に記載のドア錠制御装置。
【発明の詳細な説明】
【技術分野】
【０００１】
本発明は、アクチュエータの動力を利用してドアを施解錠するドア錠制御装置に関するものである。
【背景技術】
【０００２】
従来、この種のドア錠制御装置として、例えば屋内に設置された操作盤の操作スイッチが操作され、その後ドアが開状態から閉状態になったときにドアを自動的に施錠するドア錠制御装置が知られている。このドア錠制御装置によれば、ユーザが外出等する際には確実にドアが施錠されるため、ユーザによるドアの施錠し忘れが防止されて建物のセキュリティレベルが向上する。
【０００３】
また近年においては、例えば特許文献１に示す「建物用ドア錠の遠隔操作装置」が提案されている。この種のドア錠制御装置は、ドア近傍の所定領域内に携帯機が持ち込まれると、携帯機から送信されるＩＤ信号に含まれるＩＤコードと自らが有するＩＤコードとで照合を行い、該照合の成立を条件にドアを解錠し、携帯機からのＩＤ信号を受信できなくなったときにドアを施錠する。ユーザは、携帯機を所持してドアに近づくだけでドアが自動的に解錠され、これとは反対に携帯機を所持してドアから離れると自動的にドアが施錠されるため、メカキーのキープレート部をキーシリンダに差し込んで回動させるといった煩わしい操作から解放される。したがって、この種のドア錠制御装置によれば、建物のセキュリティレベルの向上に加え、ドア錠制御装置の利便性を向上させることができる。
【特許文献１】特開２００１−２４１２２７号公報
【発明の開示】
【発明が解決しようとする課題】
【０００４】
ところで、従来のドア錠制御装置においては、携帯機を建物内に置き忘れて屋外に出た場合や外出先で携帯機を紛失してしまった場合、ユーザはドアを解錠することができず、建物内に入れないといった問題があった。この問題に対して、ユーザ認証のためのテンキー入力装置をドアの屋外側に設けたドア錠制御装置が提案されている。ユーザは、テンキーを操作して、例えば４桁の暗証番号を入力することでドアを解錠することができる。しかし、ドア錠制御装置においてテンキー入力装置はコストアップの要因となり、更に、ドアの屋外側にテンキー入力装置が設けられるとドアのデザイン性が損われるとともに、第三者によって悪意をもって不正に操作されるおそれが高くなるといった新たな問題が生じる。つまり、テンキー入力装置はその性質から認識され易く操作され易い場所に設けられることから、テンキー入力装置の存在によって建物のセキュリティレベルの維持が困難になってしまう。
【０００５】
本発明は、こうした実情に鑑みてなされたものであり、その目的は、建物のセキュリティレベルを低下させることなく、ドアの施解錠を行うためのキー等を所持していなくても建物のドア錠を解錠することができるドア錠制御装置を提供することにある。
【課題を解決するための手段】
【０００６】
上記の課題を解決するために、請求項１に記載の発明では、建物のドアの屋外側に設けられた単一の操作体を有する操作手段と、アクチュエータの作動により前記ドアを施錠または解錠する施解錠手段と、予め設定された解錠操作態様で前記操作手段が操作された場合には前記施解錠手段を作動させて前記ドアを解錠し、前記解錠操作態様以外の態様で前記操作手段が操作された場合には前記ドアが解錠された際に警報を発する警戒モードになる制御手段とを備えることを要旨とする。
【０００７】
請求項２に記載の発明では、請求項１に記載のドア錠制御装置において、前記制御手段は、前記解錠操作態様により前記操作手段が操作された場合、前記警戒モードを解除して前記ドアを解錠することを要旨とする。
【０００８】
請求項３に記載の発明では、請求項１または請求項２に記載のドア錠制御装置において、前記ドアの近傍に設けられ、前記制御手段から出力される警告信号に基づいて警告を発する報知手段を備え、前記制御手段は、前記解錠操作態様で前記操作手段が操作されない場合、前記報知手段に対して前記警告信号を出力することを要旨とする。
【０００９】
請求項４に記載の発明では、請求項１〜３のいずれか一項に記載のドア錠制御装置において、前記制御手段は、対応する携帯機に設定されたＩＤコードを抽出し、該携帯機のＩＤコードと自らが有するＩＤコードとが一致したことを条件として、前記警戒モードを解除して前記ドアを解錠することを要旨とする。
【００１０】
以下、本発明の作用について説明する。
請求項１に記載の発明によれば、ドアの屋外側に設けられた操作手段が解錠操作態様で操作されると、ドアが解錠される。このため、ユーザは、ドアの施解錠を行うためのキー等を所持していなくても、操作手段を操作することによってドアを解錠させることができる。一方、解錠操作態様を知り得ない第三者は、たとえ操作手段を操作したとしてもドアを解錠させることはできない。
【００１１】
また、解錠操作態様以外の操作態様で操作手段が操作された場合、制御手段は、警戒モードとなり、この警戒モードでドアが解錠されると警報を発する。つまり、ドアを解錠するための手段とドア錠制御装置を警戒モードにするための手段とが操作手段という形で共用されている。このため、第三者がむやみに操作手段を操作すると、ドアを解錠できないばかりかドア錠制御装置が警戒モードになる。このように操作手段の操作によりドア錠制御装置が警戒モードになることから、第三者が操作手段の操作をためらう可能性が高くなるため、第三者による操作手段の操作自体を抑制することができる。したがって、本発明のドア錠制御装置によれば、建物のセキュリティレベルを低下させることなく、ドアの施解錠を行うためのキー等を所持していなくても建物のドア錠を解錠することができる。
【００１２】
請求項２に記載の発明によれば、ユーザは、解錠操作態様で操作手段を操作することにより、警戒モードを解除してドアを解錠することができる。このため、ユーザは、制御手段が警戒モードとなっている状態で操作手段の操作によりドアを解錠しても、警報により威嚇されることがなく、また、警戒モードを解除するための操作を別途行う必要がない。したがって、本発明のドア錠制御装置によれば、ドア錠制御装置の利便性を向上させることができる。
【００１３】
請求項３に記載の発明によれば、解錠操作態様以外の態様で操作手段が操作されると、報知手段により警告が発せられる。通常、第三者は、解錠操作態様で操作手段を操作することは困難なため、ドアを解錠するべく操作手段を手当たり次第に操作することが考えられる。こうした場合、ドアが解錠される前に不正操作に対する警告が発せられることとなり、第三者を威嚇することができる。このため、第三者は、警告が発せられることをおそれて操作手段の操作を断念したり、警告により威嚇された場合には逃走を図ったりする可能性が高い。したがって、本発明のドア錠制御装置によれば、操作手段の不正操作に基づくドアの不正な解錠をより効果的に抑止することができ、建物のセキュリティレベルを一層向上させることができる。
【００１４】
請求項４に記載の発明によれば、ユーザは、携帯機を所持している場合、解錠操作態様で操作手段を操作しなくても、ドア錠制御装置の警戒モードを解除するとともにドアを解錠させることができる。つまり、ユーザは、携帯機を所持しているだけでドアの解錠を行うことができる。したがって、本発明のドア錠制御装置によれば、ドア錠制御装置の利便性を一層向上させることができる。
【発明の効果】
【００１５】
本発明によれば、建物のセキュリティレベルを低下させることなく、ドアの施解錠を行うためのキー等を所持していなくても建物のドア錠を解錠することができるドア錠制御装置を提供することができる。
【発明を実施するための最良の形態】
【００１６】
以下、本発明を具体化した一実施形態を図１〜図６に基づき詳細に説明する。
図１に示すように、ドア錠制御システム１は、住宅２のユーザ（家人）に所持される携帯機１１と、住宅２のドア３内に配設され、携帯機１１と相互通信可能なドア錠制御装置１３とを備えている。ドア３には、図２に併せ示すように、ドアハンドル３ａ，３ｂが設けられている。
【００１７】
図４に示すように、携帯機１１は、ドア錠制御装置１３から送信されるリクエスト信号を受信すると、予め設定された所定のＩＤコードを含むＩＤ信号を送信する。
図２に示すように、ドア錠制御装置１３は、屋外アンテナ部２０、屋内アンテナ部２１、２つのドア錠駆動部２２，２３、施解錠制御部２４、及び屋内操作部２５を備えている。屋内操作部２５は、施解錠スイッチ３５を備えている。
【００１８】
屋外アンテナ部２０は、図３に示すように、ドア３の屋外側面に設けられた報知手段としての報知ブザー２６及び外側アンテナユニット２７を備えている。そして、報知ブザー２６及び外側アンテナユニット２７は、一面が開口した略直方体形状のカバー２８によって覆われている。カバー２８の開口部には、ドア３に係合可能な図示しない係合部が設けられている。報知ブザー２６は、施解錠制御部２４から報知信号が入力された場合には１秒間、警告信号が入力された場合には３０秒間、警報信号が入力された場合には６０秒間にわたって鳴動する。
【００１９】
外側アンテナユニット２７は、屋外表示部３０及び操作手段としての外側アンテナスイッチ（外側アンテナＳＷ）３１を備えている。本実施形態において、屋外表示部３０は赤色ＬＥＤであり、外側アンテナＳＷ３１はプッシュスイッチ（操作体）である。そして、両者ともに外側アンテナユニット２７において屋外側面に設けられている。また、カバー２８には、屋外表示部３０及び外側アンテナＳＷ３１と対応する位置にそれぞれの形状より幾分大きめの貫通穴が形成されており、カバー２８がドア３に装着されると、屋外表示部３０及び外側アンテナＳＷ３１は貫通穴を通して屋外に露出する。このため、屋外表示部３０は屋外から視認することができ、外側アンテナＳＷ３１はカバー２８をドア３に係合させた状態で押圧操作が可能となっている。
【００２０】
また、外側アンテナユニット２７には、図４に示す屋外側送信アンテナ２７ａと屋外側受信アンテナ２７ｂとが設けられている。屋内アンテナ部２１には、図４に示す屋内側送信アンテナ２１ａと屋内側受信アンテナ２１ｂとが設けられている。
【００２１】
図１及び図２に示すように、ドア３の側面３ｃには、各ドア錠駆動部２２，２３の駆動によって突出するロックバー２２ａ，２３ａがそれぞれ形成されている。そして、これらロックバー２２ａ，２３ａの突出状態でドア３が施錠状態となり、没入状態でドア３が解錠状態となる。また、ドア３の屋内側面には、ロックバー２２ａ，２３ａを手動で突出可能な手動ロック手段２２ｂ，２３ｂが形成されている。これら手動ロック手段２２ｂ，２３ｂは、一般的な屋内側施解錠用つまみ（サムターン）である。
【００２２】
ドア錠駆動部２２，２３はドア３内に配設されており、モータ等のアクチュエータとそのアクチュエータを駆動するドライバ部とによって構成されている（図示略）。ドア錠駆動部２２，２３は、施解錠制御部２４から解錠駆動信号が入力された場合、ロックバー２２ａ，２３ａを没入させてドア３を解錠して施解錠制御部２４に解錠完了信号を出力する。また、ドア錠駆動部２２，２３は、施解錠制御部２４から施錠駆動信号が入力された場合、ロックバー２２ａ，２３ａを突出させてドア３を施錠して施解錠制御部２４に施錠完了信号を出力する。
【００２３】
図４に示すように、施解錠制御部２４は、ドア側送信回路３２、ドア側受信回路３３、及び制御手段としての施解錠制御用のマイクロコンピュータ（施解錠制御マイコン）３４を備えている。ドア側送信回路３２には送信アンテナ２１ａ，２７ａが接続され、ドア側受信回路３３には受信アンテナ２１ｂ，２７ｂが接続されている。また、施解錠制御マイコン３４には、ドア錠駆動部２２，２３、報知ブザー２６、施解錠スイッチ３５、屋外表示部３０、及び外側アンテナＳＷ３１が接続されている。
【００２４】
ドア側送信回路３２は、施解錠制御マイコン３４から出力されるリクエスト信号を送信アンテナ２１ａ，２７ａを介して送信する。このリクエスト信号は、図２に示すように、屋内外におけるドア３の周辺の領域Ａに出力される。すなわち、この領域Ａにおいて携帯機１１と施解錠制御部２４との相互通信が可能となる。
【００２５】
ドア側受信回路３３は、携帯機１１から出力されたＩＤ信号を受信アンテナ２１ｂ，２７ｂを介して受信する。そして、ドア側受信回路３３は受信したＩＤ信号を施解錠制御マイコン３４に出力する。
【００２６】
施解錠制御マイコン３４は、具体的には図示しないＣＰＵ、メモリ、タイマ及びカウンタを備えている。メモリには、ユーザにより予め設定された解錠操作態様を示す暗証コードとＩＤコードとが予め記録されている。本実施形態において暗証コードは、４桁の数字から構成され、各桁は外側アンテナＳＷ３１により押圧操作される回数を示す。詳しくは、暗証コードは、コードＡ、コードＢ、コードＣ、及びコードＤの４つのコードから構成され、例えばコードＡには「１」、コードＢには「２」、コードＣには「３」、コードＤには「４」といった数値が設定されている。なお、暗証コードの桁数及び内容は、上記桁数や数値に限定されるものではない。
【００２７】
施解錠制御マイコン３４は、各送信アンテナ２１ａ，２７ａから個別のタイミングで択一的にリクエスト信号を出力させる。つまり、一方の送信アンテナ２１ａ（２７ａ）からリクエスト信号が出力されているときには、他方の送信アンテナ２７ａ（２１ａ）からはリクエスト信号が出力されないようになっている。
【００２８】
そして、施解錠制御マイコン３４は、ＩＤ信号が入力された場合、同ＩＤ信号に含まれるＩＤコードと予め記録されたＩＤコードとで照合（ＩＤコード照合）を行なう。両ＩＤコードが一致してＩＤコード照合が成立したときに施解錠制御マイコン３４は、ドア錠駆動部２２，２３に対してロックバー２２ａ，２３ａを没入させる旨の駆動信号（解錠駆動信号）を出力する。一方、施解錠制御マイコン３４は、ＩＤ信号が入力されなくなったときは、ドア錠駆動部２２，２３に対してロックバー２２ａ，２３ａを突出させる旨の駆動信号（施錠駆動信号）を出力する。また、施解錠制御マイコン３４は、屋内操作部２５の施解錠スイッチ３５が押圧操作された場合、その押圧操作に応じて解錠駆動信号と施錠駆動信号とを交互に出力する。
【００２９】
更に、施解錠制御マイコン３４は、携帯機１１を所持したユーザにより外側アンテナＳＷ３１が押圧操作された場合、すなわち、ＩＤコード照合が成立した状態で外側アンテナＳＷ３１が押圧操作された場合、ドア錠制御装置１３は警戒モードになる。警戒モードにおいて施解錠制御マイコン３４は、点灯信号を屋外表示部３０に出力して屋外表示部３０を点灯させるとともに、ドア３の施解錠状態を監視する。施解錠制御マイコン３４は、この警戒モードにおいてドア錠駆動部２２，２３から解錠完了信号が入力された場合、報知ブザー２６に前記警報信号を出力して該報知ブザー２６を３０秒間鳴動させる。すなわち、施解錠制御マイコン３４は、警戒モードの状態でドアが解錠された場合には、不正な解錠が行われたと判断して警報を発する。一方、施解錠制御マイコン３４は、ユーザが携帯機１１を所持して領域Ａ内に進入し、ＩＤコード照合が成立したときに警戒モードを解除する。なお、ブザー等により構成される警報部を屋内操作部２５にも設け、施解錠制御マイコン３４は、警戒モードにおいてドア錠駆動部２２，２３から解錠完了信号が入力された場合、報知ブザー２６に加えて該警報部を作動させたり、該警報部のみを作動させたりするようにしてもよい。
【００３０】
ところで、ＩＤコード照合が不成立の場合において施解錠制御マイコン３４は、所定の解除操作態様で外側アンテナＳＷ３１が押圧操作されると非常解錠処理を行う。以下、施解錠制御マイコン３４が行う非常解錠処理について図５にしたがって詳細に説明する。
【００３１】
図５に示すように、ステップ１０１において施解錠制御マイコン３４は、外側アンテナＳＷ３１が２秒間以上にわたって押圧操作されたか否かを判断する。外側アンテナＳＷ３１が２秒間以上にわたって押圧操作されたと判断した場合、施解錠制御マイコン３４は、ステップ１０２において報知ブザー２６に対して報知信号を出力するとともにタイマを作動させる。すなわち、施解錠制御マイコン３４は、報知ブザー２６を１秒間にわたって鳴動させた後、その後の経過時間をタイマにより計時する。
【００３２】
続くステップ１０３〜１０９において施解錠制御マイコン３４は、外側アンテナＳＷ３１の押圧操作により入力される入力コードが暗証コードに等しいか否かを判断する。
詳しくは、まずステップ１０３において施解錠制御マイコン３４は、タイマを作動させた後の所定時間（本実施形態では１秒間）以内に外側アンテナＳＷ３１が押圧操作されたか否かを判断する。１秒間以内に外側アンテナＳＷ３１が押圧操作された場合、施解錠制御マイコン３４は、カウンタをカウントアップするとともに、タイマをリセットして再作動させる。更に、その後の１秒間以内に外側アンテナＳＷ３１が押圧操作された場合、施解錠制御マイコン３４は、更にカウンタをカウントアップするとともに、タイマをリセットして再作動させる。このような処理を繰り返して行うことにより施解錠制御マイコン３４は、外側アンテナＳＷ３１が押圧操作された回数をカウンタによりカウントアップする。そして、施解錠制御マイコン３４は、１秒間以内に外側アンテナＳＷ３１が押圧操作されなかった場合、カウンタにより示される回数を入力コードとして確定し、該入力コードと暗証コードのコードＡとが一致するか否かを判断する。両コードが一致する場合、施解錠制御マイコン３４は、所定時間（本実施形態では１．５秒）経過後、ステップ１０４において報知信号を報知ブザー２６に対して出力するとともに、タイマをリセットして再作動させる。すなわち、施解錠制御マイコン３４は、所定時間内における外側アンテナＳＷ３１の操作回数が対応する暗証コードの数値に等しいか否かを判断し、等しい場合には報知ブザー２６を１秒間鳴動させる。
【００３３】
施解錠制御マイコン３４は、暗証コードのコードＢ、コードＣ、コードＤについても、同様の処理を順次行う（ステップ１０５〜１０９）。そして、施解錠制御マイコン３４は、外側アンテナＳＷ３１が押圧操作されることにより順次入力された４つの入力コードが、暗証コードにおけるコードＡ〜コードＤの対応するコードにそれぞれ一致すると判断した場合、警戒モードになっているのであればステップ１１０において警戒モードを解除する。更に、続くステップ１１１において施解錠制御マイコン３４は、解錠駆動信号をドア錠駆動部２２，２３に出力する。このため、警戒モードが解除されるとともにドア３が解錠される。このように、施解錠制御マイコン３４は、外側アンテナＳＷ３１が２秒間以上押圧操作されたうえで暗証コードに対応する回数だけ押圧操作された場合、すなわち、解錠操作態様で外側アンテナＳＷ３１が押圧操作された場合、警戒モードを解除するとともにドア３を解錠する。施解錠制御マイコン３４は、ステップ１１１において解錠駆動信号を出力した後、処理を一旦終了する。すなわち、外側アンテナＳＷ３１が暗証コードと対応する態様（解錠操作態様）で操作されると、警戒モードが解除されるとともにドア３が解錠されることとなる。
【００３４】
一方、ステップ１０１において外側アンテナＳＷ３１が２秒間以上にわたって押圧操作されていない場合や、ステップ１０３，１０５，１０７，１０９において入力コードと暗証コードの対応するコードＡ〜コードＤとが不一致の場合、施解錠制御マイコン３４は、ステップ１１２において警戒モードであるか否かを判断する。警戒モードでないと判断した場合、施解錠制御マイコン３４は、ステップ１１３において警戒モードになって処理を一旦終了する。これに対し、ステップ１１２において警戒モードになっていると判断した場合、施解錠制御マイコン３４は、ステップ１１４において警告信号を報知ブザー２６に出力し、続くステップ１１５において屋外表示部３０を点滅させる旨の点滅信号を出力して処理を一旦終了する。すなわち、施解錠制御マイコン３４は、解錠操作態様と異なる態様で外側アンテナＳＷ３１が押圧操作された場合、報知ブザー２６を３０秒間にわたって鳴動させるとともに屋外表示部３０を点滅させる。
【００３５】
次に、上記構成のドア錠制御システム１の作用について説明する。ここでは、携帯機１１を所持していない場合においてドア３を解錠するためにユーザが行う操作態様、及び住宅２に侵入しようとして第三者が行うであろう操作態様例について図６（ａ），（ｂ）にしたがってそれぞれ説明する。
【００３６】
＜ユーザの操作態様＞
ユーザは、図６（ａ）に示す一連の操作を行うことにより、携帯機１１を所持していない状態でドア３の解錠を行うことができる。まず、ステップ３００においてユーザは、屋外アンテナ部２０の外側アンテナＳＷ３１を２秒間にわたって押圧操作（いわゆる長押し）する。この操作に対するアンサーバックとして、図６に角丸ブロックで示すように、ドア錠制御装置１３の報知ブザー２６が１秒間にわたって鳴動する。以下、ドア錠制御装置１３の動作を角丸ブロックにより示す。
【００３７】
次に、ステップ３０１においてユーザは、暗証コードの１桁目（コードＡ）に相当する回数である１回だけ外側アンテナＳＷ３１を押圧操作する。ユーザによる押圧操作の後、１．５秒間が経過すると、報知ブザー２６が１秒間にわたって鳴動して次の暗証コードの入力が促される。ユーザは、この報知ブザー２６の鳴動により、ドア錠制御装置１３に自己の操作が認識されたことを確認することができる。
【００３８】
ステップ３０２においてユーザは、暗証コードの２桁目（コードＢ）に相当する回数である２回だけ外側アンテナＳＷ３１を押圧操作する。この際、外側アンテナＳＷ３１の１回目の押圧操作と２回目の押圧操作とは１秒間の間に行う。そして、ユーザによる押圧操作の後、１．５秒間が経過すると、報知ブザー２６が一秒間にわたって鳴動して次の暗証コードの入力が促される。
【００３９】
このように、ユーザは、報知ブザー２６が鳴動した後、外側アンテナＳＷ３１を暗証コードに相当する回数だけ押圧操作するといった操作を繰り返すことにより、順次暗証コードを入力することができる。この際、外側アンテナＳＷ３１の押圧操作の間隔は、１秒間以内である。なお、図６（ａ）において、ステップ３０３，３０４は暗証コードの３桁目（コードＣ）及び４桁目（コードＤ）の入力操作を示すものである。
【００４０】
外側アンテナＳＷ３１を押圧操作することにより４桁分の暗証コードの全てをドア錠制御装置１３に認識させると、ドア錠制御装置１３の警戒モードが解除されるとともにドア３が解錠される。このため、ユーザは、解錠操作態様で外側アンテナＳＷ３１を操作すれば、報知ブザー２６により警告が発せられることはない。
【００４１】
＜第三者の操作態様＞
暗証コードをドア錠制御装置１３に認識させるためには、まず外側アンテナＳＷ３１を２秒間以上にわたって押圧操作しなければならない。このことを知らない第三者は、例えば外側アンテナＳＷ３１を１秒間だけ押圧操作することになる。この際にドア錠制御装置１３が警戒モードになっていると、報知ブザー２６が３０秒間にわたって鳴動するとともに屋外表示部３０が点滅する。一方、ドア錠制御装置１３が警戒モードになっていなかった場合、第三者の外側アンテナＳＷ３１への押圧操作によりドア錠制御装置１３が警戒モードになる。
【００４２】
仮に、第三者が外側アンテナＳＷ３１を２秒間以上にわたって押圧操作した場合には、図６（ｂ）に示すように、報知ブザー２６が鳴動して暗証コードの入力が促される。しかし、暗証コードを知らない第三者は、ステップ４０２において、暗証コードが示す回数と異なる回数、例えば２回だけ外側アンテナＳＷ３１を押圧操作することになる。この場合、押圧操作後、１．５秒間が経過した時点で報知ブザー２６が３０秒間にわたって鳴動するとともに屋外表示部３０が点滅するため、第三者の住宅２内への侵入を抑止することができる。また、むやみに外側アンテナＳＷ３１を押圧操作するとドア３を解錠できないばかりか報知ブザー２６が鳴動することが一般に広く認知されれば、第三者は、ドア錠制御装置１３が備えられている住宅２に侵入しようとすること自体をためらう。
【００４３】
従って、本実施形態によれば以下のような効果を得ることができる。
（１）施解錠制御マイコン３４は、ドア３の屋外側に設けられた外側アンテナＳＷ３１が暗証コードで示される回数だけ押圧操作されると、ドア錠駆動部２２，２３を作動させてドア３を解錠する。このため、ユーザは、たとえ外出先で紛失するなどして携帯機１１を所持していない場合であっても、外側アンテナＳＷ３１を解錠操作態様で操作することにより住宅２内に入ることができる。一方、暗証コードを知り得ない第三者は、たとえ外側アンテナＳＷ３１を操作したとしてもドア３を解錠することはできない。したがって、住宅２のセキュリティレベルを低下させることなく、ドア３の施解錠を行うためのキー等を所持していなくても住宅２のドア３を解錠することができる。
【００４４】
（２）施解錠制御マイコン３４は、暗証コードで示される回数と異なった回数だけ外側アンテナＳＷ３１が押圧操作された場合、警戒モードにされていない場合には警戒モードになる。つまり、第三者がむやみに外側アンテナＳＷ３１を押圧操作した場合には、ドア３が解錠されないばかりかドア錠制御装置１３が警戒モードになる。このように、外側アンテナＳＷ３１の操作によりドア錠制御装置１３が警戒モードになることから、第三者が外側アンテナＳＷ３１の操作をためらう可能性が高くなる。したがって、第三者による外側アンテナＳＷ３１の操作自体を抑制することができ、住宅２のセキュリティレベルを向上させることができる。
【００４５】
（３）携帯機１１を所持していない状態においてドア３を解錠するために操作する操作部とドア錠制御装置１３を警戒モードにするために操作する操作部とは、共に外側アンテナＳＷ３１という形で共用されている。このため、外側アンテナＳＷ３１は、ドア３を解錠するためのスイッチとして第三者に認識され難く、また、触られ難い。したがって、ドア錠制御装置１３によれば、住宅２のセキュリティレベルを向上させることができる。
【００４６】
（４）施解錠制御マイコン３４は、外側アンテナＳＷ３１の押圧操作の回数により入力コードを認識する。すなわち、ユーザが入力コードをドア錠制御装置１３に認識させる際に操作するスイッチは外側アンテナＳＷ３１の一種類のみである。したがって、ユーザ認証のためにテンキーを用いた装置に比較して、ドア錠制御装置１３のコストを抑制することができる。また、複数のスイッチ（操作部）を備えたテンキー等をドア３の外側表面に配置した場合に比較して、外側アンテナＳＷ３１が該表面において占める面積は小さいため、ドア３のデザイン性を損わない。したがって、ドア錠制御装置１３によれば、ドア３のデザイン性を低下させることなく、ドア３の施解錠を行うためのキー等を所持していなくてもドア３を解錠することができる。
【００４７】
（５）施解錠制御マイコン３４は、外側アンテナＳＷ３１が解錠操作態様で操作された際に警戒モードになっている場合、警戒モードを解除してドア３を解錠する。このため、ユーザは、警戒モードになっている状態で外側アンテナＳＷ３１の操作によりドア３を解錠しても、報知ブザー２６の鳴動により威嚇されることがない。また、警戒モードを解除するための操作を別途行う必要がない。したがって、ドア錠制御装置１３によれば、ドア錠制御装置１３の利便性を一層向上させることができる。
【００４８】
（６）施解錠制御マイコン３４は、警戒モードにおいて外側アンテナスイッチ３１が解錠操作態様で操作されない場合、報知ブザー２６を３０秒間にわたって鳴動させるとともに屋外表示部３０を点滅させる。このため、第三者がドア３を解錠するために外側アンテナＳＷ３１を手当たり次第に操作した場合、ドア３が解錠される前に報知ブザー２６及び屋外表示部３０により警告が発せられることになる。第三者は、これら警告が発せられることをおそれて外側アンテナＳＷ３１の操作を断念したり、警告により威嚇された場合には逃走を図ったりする可能性が高い。しかも、報知ブザー２６及び屋外表示部３０は、ドア３の屋外側に設けられているため、第三者に対して効果的に威嚇することができる。したがって、ドア錠制御装置１３によれば、外側アンテナＳＷ３１の不正操作に基づくドア３の不正な解錠をより効果的に抑止することができ、住宅２のセキュリティレベルを一層向上させることができる。
【００４９】
（７）施解錠制御マイコン３４は、ＩＤ照合が成立すると、警戒モードになっている場合には警戒モードを解除してドア３を解錠する。このため、ユーザは、携帯機１１を所持しているだけで警戒モードの解除及びドア３の解錠を行うことができる。したがって、ドア錠制御装置１３によれば、ドア錠制御装置１３の利便性を一層向上させることができる。
【００５０】
なお、本発明の実施形態は以下のように変更してもよい。
・前記実施形態において、外側アンテナＳＷ３１が２秒間以上にわたって押圧操作された場合、音声スピーカーにより暗証コードの入力をユーザに促すように変更されてもよい。例えば、施解錠制御マイコン３４は、外側アンテナＳＷ３１が２秒間以上にわたって押圧操作された場合、「暗証コードの１桁目を入力してください」と音声スピーカーにより報知するようにしてもよい。このようにすれば、ユーザは、暗証コードを要求されていることを一層容易に認識することができる。
【００５１】
また、施解錠制御マイコン３４は、外側アンテナＳＷ３１が２秒間以上にわたって押圧操作されたか否かを判断しなくてもよい。例えば、施解錠制御マイコン３４は、ＩＤコード照合が不一致の状態において外側アンテナＳＷ３１が操作された場合、その操作は暗証コードの入力操作であると認識してもよい。このようにしても、暗証コードを知り得ない第三者のドア３の解錠を防止することができる。
【００５２】
・前記実施形態において施解錠制御マイコン３４は、入力コードが暗証コードに一致しない場合、即座に報知ブザー２６を作動させるのではなく、所定回数までユーザに外側アンテナＳＷ３１の押圧操作を許可するようにしてもよい。例えば、施解錠制御マイコン３４は、入力コードがコードＡに一致しない場合、報知ブザー２６を１秒間隔で２回鳴動させることにより入力コードの間違いを報知し、両コードが３回一致しなかった場合に報知ブザー２６を３０秒間にわたって鳴動させるように変更されてもよい。このようにすれば、ユーザが慌てて押圧操作することにより暗証コードに対応した回数だけ外側アンテナＳＷ３１を押圧操作できなかった場合でも、ユーザは、操作をやり直すことができる。したがって、ドア錠制御装置１３の利便性を向上させることができる。
【００５３】
・前記実施形態において、操作手段はプッシュスイッチに限られず、例えばタッチパッドでもよい。施解錠制御マイコン３４は、タッチパッドをなぞることこによりユーザによって入力された入力コードと暗証コードとが一致するか否かを判断するようにしてもよい。そして、施解錠制御マイコン３４は、タッチパッドにより入力された入力コードが暗証コードと一致しない場合、警戒モードにおいては報知ブザー２６及び屋外表示部３０を作動させ、警戒モードでないときには警戒モードになるようにしてもよい。このようにタッチパッドを操作手段として適用することにより、暗証コードとして漢字やアルファベット等も設定することが可能となり、また、一般にタッチパッドは凹凸が少なく第三者に触られ難いため、住宅２のセキュリティレベルを一層向上させることができる。更に、外側アンテナスイッチ３１を複数回にわたって押圧操作するのに比較して、タッチパッドによれば入力コードを入力する際の操作回数が少なくて済む。よって、ユーザ認証作業を迅速に行うことが可能となる。
【００５４】
・前記実施形態において外側アンテナＳＷ３１の下部には、「警戒セットボタン」との表示がされていてもよい。また、外側アンテナＳＷ３１は、赤色に着色されていてもよい。このようにすれば、第三者は、外側アンテナＳＷ３１を操作することを一層ためらう。したがって、第三者による外側アンテナＳＷ３１の押圧操作を視覚面から効果的に抑制することができる。
【００５５】
・本発明のドア錠制御装置がユーザを認証する方法は、携帯機１１との通信に基づくＩＤ照合に限定されない。例えば、ドア錠制御装置１３は、ユーザが所持するＩＤカードからＩＤコードを抽出するカードリーダを備え、該カードリーダを用いてＩＤ照合を行うようにしてもよい。このようなドア錠制御装置１３においてもユーザは、ＩＤカードを所持しない場合、外側アンテナＳＷ３１を解錠操作態様で操作することによりドア３を解錠することができる。また、第三者が解錠操作態様以外の態様で外側アンテナＳＷ３１を操作した場合には、ドア錠制御装置１３が警戒モードになったり、報知ブザー２６や屋外表示部３０が作動したりする。要するに、ドア錠制御装置１３は、解錠操作態様で外側アンテナＳＷ３１が操作された場合にドア３を解錠し、解錠操作態様以外の態様で外側アンテナＳＷ３１が操作された場合には警戒モードになる構成であればよい。
【００５６】
次に、本実施形態及び他の実施形態から把握できる技術的思想について以下に追記する。
（１）請求項１〜４に記載のドア錠制御装置において、前記操作手段は、プッシュスイッチであること。
【００５７】
（２）建物のドアの屋外側に設けられてユーザにより操作されるタッチパッドと、
アクチュエータの作動により前記ドアを施錠または解錠する施解錠手段と、
ユーザによって予め設定された暗証コードを有し、前記タッチパッドにより該暗証コードが入力された場合に前記施解錠手段を作動させて前記ドアを解錠し、前記タッチパッドにより前記暗証コード以外のコードが入力された場合には前記ドアが解錠された際に警報を発する警戒モードに設定する制御手段とを備えるドア錠制御装置。
【図面の簡単な説明】
【００５８】
【図１】本実施形態におけるドア錠制御装置が配設されたドアの斜視図。
【図２】本実施形態におけるドア錠制御装置が配設されたドアの側面図。
【図３】本実施形態におけるドア錠制御装置における屋外アンテナ部の拡大図。
【図４】本実施形態におけるドア錠制御装置のブロック図。
【図５】本実施形態におけるドア錠制御装置において、施解錠制御マイコンが行う非常解錠処理のフローチャート。
【図６】（ａ）は、ドア錠制御装置に対するユーザの操作態様例を示すシーケンス図、（ｂ）は、ドア錠制御装置に対する第三者の操作態様例を示すシーケンス図。
【符号の説明】
【００５９】
１…ドア錠制御システム、３…ドア、１１…携帯機、１３…ドア錠制御装置、２２，２３…施解錠手段としてのドア錠駆動部、２６…報知手段としての報知ブザー、３１…操作手段としての外側アンテナスイッチ（外側アンテナＳＷ）、３４…制御手段としての施解錠制御マイコン。
【図１】
2006028795.tif 000003
【図２】
2006028795.tif 000004
【図３】
2006028795.tif 000005
【図４】
2006028795.tif 000006
【図５】
2006028795.tif 000007
【図６】
2006028795.tif 000008